(57)【要約】【課題】この発明は、復調された信号の基準レベルを自動的に一定に保つことができるようになる音声多重信号復調装置を提供することを目的とする。【解決手段】パイロット信号を含む音声多重コンポジット信号を復調する音声多重信号復調装置において、音声多重コンポジット信号に基づいて、パイロット信号レベルを算出するパイロット信号レベル算出手段、およびパイロット信号レベル算出手段によって算出されたパイロット信号レベルに基づいて、復調された信号の基準レベルが一定となるように、復調された信号の信号レベルを補正する補正手段を備えている。【選択図】図２
2007150704.tif 000002
【特許請求の範囲】
【請求項１】
パイロット信号を含む音声多重コンポジット信号を復調する音声多重信号復調装置において、
音声多重コンポジット信号に基づいて、パイロット信号レベルを算出するパイロット信号レベル算出手段、および
パイロット信号レベル算出手段によって算出されたパイロット信号レベルに基づいて、復調される信号の基準レベルが一定となるように、音声多重コンポジット信号または復調された信号の信号レベルを補正する補正手段、
を備えていることを特徴とする音声多重信号復調装置。
【請求項２】
パイロット信号を含む音声多重コンポジット信号を復調する音声多重信号復調装置において、
音声多重コンポジット信号に基づいて、パイロット信号レベルを算出するパイロット信号レベル算出手段、
音声多重コンポジット信号に基づいて、（Ｒ−Ｌ）信号を復調する復調手段、
復調手段によって得られた（Ｒ−Ｌ）信号の基準レベルが一定となるように、パイロット信号レベル算出手段によって算出されたパイロット信号レベルに基づいて、復調手段によって得られた（Ｒ−Ｌ）信号の信号レベルを補正する第１の補正手段、および
第１の補正手段によって得られた信号に対してノイズ低減処理を行なう第１のノイズ低減処理手段、
を備えていることを特徴とする音声多重信号復調装置。
【請求項３】
音声多重コンポジット信号に基づいて、（Ｒ＋Ｌ）信号を復元する復元手段、
復元手段によって得られた（Ｒ＋Ｌ）信号の基準レベルが一定となるように、パイロット信号レベル算出手段によって算出されたパイロット信号レベルに基づいて、復元手段によって得られた（Ｒ＋Ｌ）信号の信号レベルを補正する第２の補正手段、および
第２の補正手段によって得られた信号に対してノイズ低減処理を行なう第２のノイズ低減処理手段、
を備えていることを特徴とする請求項２に記載の音声多重信号復調装置。
【請求項４】
第１のノイズ低減処理手段は、ｄｂｘ（登録商標）デコード処理を行なうものであることを特徴とする請求項２に記載の音声多重信号復調装置。
【請求項５】
第２のノイズ低減処理手段は、デエンファシス処理を行なうものであることを特徴とする請求項３に記載の音声多重信号復調装置。
【請求項６】
パイロット信号レベル算出手段は、音声多重コンポジット信号に基づいて、音声多重コンポジット信号に含まれているパイロット信号と同期したパイロット同期信号を生成するパイロット同期信号生成手段、
パイロット同期信号生成手段によって生成されたパイロット同期信号を、音声多重コンポジット信号に乗算する乗算手段、および
乗算手段によって得られた信号から高域スペクトラム成分をカットすることにより、パイロット信号レベルを抽出するローパスフィルタ手段、
を備えていることを特徴とする請求項１乃至５に記載の音声多重信号復調装置。
【請求項７】
パイロット同期信号生成手段は、正弦波テーブルを使用して、パイロット同期信号を生成するものであることを特徴とする請求項６に記載の音声多重信号復調装置。
【請求項８】
パイロット信号を含む音声多重コンポジット信号を復調する音声多重信号復調装置に用いられる信号レベル補正プログラムであって、
音声多重コンポジット信号に基づいて、パイロット信号レベルを算出する第１ステップ、および
第１ステップによって算出されたパイロット信号レベルに基づいて、復調される信号の基準レベルが一定となるように、音声多重コンポジット信号または復調された信号の信号レベルを補正する第２ステップ、
をコンピュータに実行させるための信号レベル補正プログラム。
【請求項９】
パイロット信号を含む音声多重コンポジット信号を復調する音声多重信号復調装置に用いられる信号レベル補正プログラムであって、
音声多重コンポジット信号に基づいて、パイロット信号レベルを算出する第１ステップ、
音声多重コンポジット信号に基づいて、（Ｒ−Ｌ）信号を復調する第２ステップ、
第２ステップによって得られた（Ｒ−Ｌ）信号の基準レベルが一定となるように、第１ステップによって算出されたパイロット信号レベルに基づいて、第２ステップによって得られた（Ｒ−Ｌ）信号の信号レベルを補正する第３ステップ、および
第３ステップによって得られた信号に対してノイズ低減処理を行なう第４ステップ、
をコンピュータに実行させるための信号レベル補正プログラム。
【発明の詳細な説明】
【技術分野】
【０００１】
この発明は、音声多重信号復調装置および音声多重信号復調装置に用いられる信号レベル補正プログラムに関する。
【背景技術】
【０００２】
図１は、米国におけるテレビジョン音声多重放送のＦＭ復調後の音声多重コンポジット信号の周波数スペクトラムを示している。
【０００３】
図１に示すように、米国におけるテレビジョン音声多重放送では、モノラル信号（（Ｌ＋Ｒ）信号）に対応する第１の音声信号Ｓ１に加えて、ＤＳＢ−ＳＣ変調されたステレオ差信号（（Ｌ−Ｒ）信号）に対応する第２の多重音声信号Ｓ２およびＦＭ変調されたＳＡＰ（副音声）信号に対応する第３の多重音声信号Ｓ３が多重されている。第２の多重音声信号Ｓ２および第３の多重音声信号Ｓ３は、第１の音声信号Ｓ１より高域側に配置されている。
【０００４】
第１の音声信号Ｓ１は、テレビジョン信号の水平走査周波数であるｆＨよりも低域側に配置されており、周波数ｆＨの位置には第２の多重音声信号Ｓ２の有無を識別するためのパイロット信号ＳPLが配置されている。第２の多重音声信号Ｓ２は、周波数２ｆＨの搬送波信号を（Ｌ−Ｒ）信号でＡＭ変調したものであり、例えば、２１ｋＨｚ〜４１ｋＨｚの周波数帯域を有している。第３の多重音声信号Ｓ３は、周波数５ｆＨの搬送波信号をＳＡＰ信号でＦＭ変調したものである。
【０００５】
図３は、テレビジョン音声多重信号を復調するための従来の復調装置を示している。この復調装置は、特許第２８９０４１１号公報に従来例として記載されている。
【０００６】
入力端子１０１には、テレビジョン映像信号から分離されかつＦＭ復調された、図１に示すような周波数スペクトラムを有する音声多重コンポジット信号が供給されている。この入力信号は、第２の音声多重信号Ｓ２の周波数帯域である２１ｋＨｚ〜４１ｋＨｚよりも充分に高いカットオフ周波数を有するＬＰＦ１０２に送られて、第１の音声信号Ｓ１および第２の多重音声信号Ｓ２が取り出される。ＬＰＦ１０２を通過した信号は、パイロット信号除去回路１０３に送られ、パイロット信号ＳPLが除去される。パイロット信号ＳPLが除去された信号は、第１音声信号処理回路１０４および第２音声信号検波回路１０５にそれぞれ送られる。
【０００７】
第１音声信号処理回路１０４からの出力はＬＰＦ１０６に送られて、第１の音声信号Ｓ１のみが取り出され、この第１の音声信号Ｓ１はマトリクス回路１０７に送られる。第２音声信号検波回路１０５では、例えば、同期検波により第２の多重音声信号Ｓ２が低域変換されて、例えばｆＨより低域側に配置される。そして、低域変換された第２の音声信号成分のみが、ＬＰＦ１０８により取り出され、切換スイッチ１０９の一方の被選択端子ａに送られる。
【０００８】
入力端子１０１に入力された信号は、通過中心周波数が５ｆＨのＢＰＦ１１０に送られ、第３の多重音声信号Ｓ３が取り出され、第３音声信号検波回路１１１でＦＭ検波された後、ＬＰＦ１１２により、第３の音声信号成分のみが取り出される。ＬＰＦ１１２の出力は、切換スイッチ１０９の他方の被選択端子ｂに送られる。切換スイッチ１０９からの出力は、例えば、ｄｂｘ（登録商標）デコーダ等のノイズ低減回路１１３に送られてノイズ低減処理が施された後、マトリクス回路１０７に送られる。マトリクス回路１０７では、例えば、ステレオの左右チャンネル音声信号が生成されて出力される。
【０００９】
ところで、ｄｂｘ（登録商標）デコーダは、”OET BullETIN NO.60 REV A" 等に規定されているように、入力信号レベルに応じて周波数特性や出力信号レベルを適応的に制御するものである。
【００１０】
実際には、信号がｄｂｘ（登録商標）デコーダに達するまでには、チューナ、復調回路等の部品の性能のばらつき、または温度変化により、入力信号の基準レベルの変動や受信機による入力信号の基準レベルの個体差を生じるため、正確なデコードが困難である。
【００１１】
ｄｂｘ（登録商標）デコーダの適応フィルタや振幅調整が正確でなければ、本来の（Ｌ−Ｒ）信号が得られないため、（Ｌ＋Ｒ）信号とのマトリクス処理を行なっても、Ｌ信号とＲ信号とを正確に分離することはできない。
【００１２】
そのため、従来は、受信機または復調回路ごとに、ｄｂｘ（登録商標）デコーダの入力信号の基準レベルを一定にするための回路調整を出荷時に行なっていた。例えば、sonyのUS音声多重デコーダ"CXA2134Q"のLSI カタログには、そのような調整手順が明記されている。
【００１３】
音声多重信号復調回路は、従来は一般的にアナログ回路で実現されており、入力信号の基準レベルを一定にするための回路調整を自動で行なう試みはなされてない。なぜなら、調整回路自体がアナログ回路では意味がないからである。
【特許文献１】特許第２８９０４１１号公報
【発明の開示】
【発明が解決しようとする課題】
【００１４】
この発明は、復調された信号の基準レベルを自動的に一定に保つことができるようになる音声多重信号復調装置および音声多重信号復調装置に用いられる信号レベル補正プログラムを提供することを目的とする。
【課題を解決するための手段】
【００１５】
請求項１に記載の発明は、パイロット信号を含む音声多重コンポジット信号を復調する音声多重信号復調装置において、音声多重コンポジット信号に基づいて、パイロット信号レベルを算出するパイロット信号レベル算出手段、およびパイロット信号レベル算出手段によって算出されたパイロット信号レベルに基づいて、復調される信号の基準レベルが一定となるように、音声多重コンポジット信号または復調された信号の信号レベルを補正する補正手段を備えていることを特徴とする。
【００１６】
請求項２に記載の発明は、パイロット信号を含む音声多重コンポジット信号を復調する音声多重信号復調装置において、音声多重コンポジット信号に基づいて、パイロット信号レベルを算出するパイロット信号レベル算出手段、音声多重コンポジット信号に基づいて、（Ｒ−Ｌ）信号を復調する復調手段、復調手段によって得られた（Ｒ−Ｌ）信号の基準レベルが一定となるように、パイロット信号レベル算出手段によって算出されたパイロット信号レベルに基づいて、復調手段によって得られた（Ｒ−Ｌ）信号の信号レベルを補正する第１の補正手段、および第１の補正手段によって得られた信号に対してノイズ低減処理を行なう第１のノイズ低減処理手段を備えていることを特徴とする。
【００１７】
請求項３に記載の発明は、請求項２に記載の発明において、音声多重コンポジット信号に基づいて、（Ｒ＋Ｌ）信号を復元する復元手段、復元手段によって得られた（Ｒ＋Ｌ）信号の基準レベルが一定となるように、パイロット信号レベル算出手段によって算出されたパイロット信号レベルに基づいて、復元手段によって得られた（Ｒ＋Ｌ）信号の信号レベルを補正する第２の補正手段、および第２の補正手段によって得られた信号に対してノイズ低減処理を行なう第２のノイズ低減処理手段を備えていることを特徴とする。
【００１８】
請求項４に記載の発明は、請求項２に記載の発明において、第１のノイズ低減処理手段は、ｄｂｘ（登録商標）デコード処理を行なうものであることを特徴とする。
【００１９】
請求項５に記載の発明は、請求項３に記載の発明において、第２のノイズ低減処理手段は、デエンファシス処理を行なうものであることを特徴とする。
【００２０】
請求項６に記載の発明は、請求項１乃至５に記載の発明において、パイロット信号レベル算出手段は、音声多重コンポジット信号に基づいて、音声多重コンポジット信号に含まれているパイロット信号と同期したパイロット同期信号を生成するパイロット同期信号生成手段、パイロット同期信号生成手段によって生成されたパイロット同期信号を、音声多重コンポジット信号に乗算する乗算手段、および乗算手段によって得られた信号から高域スペクトラム成分をカットすることにより、パイロット信号レベルを抽出するローパスフィルタ手段を備えていることを特徴とする。
【００２１】
請求項７に記載の発明は、請求項６に記載の発明において、パイロット同期信号生成手段は、正弦波テーブルを使用して、パイロット同期信号を生成するものであることを特徴とする。
【００２２】
請求項８に記載の発明は、パイロット信号を含む音声多重コンポジット信号を復調する音声多重信号復調装置に用いられる信号レベル補正プログラムであって、音声多重コンポジット信号に基づいて、パイロット信号レベルを算出する第１ステップ、および第１ステップによって算出されたパイロット信号レベルに基づいて、復調される信号の基準レベルが一定となるように、音声多重コンポジット信号または復調された信号の信号レベルを補正する第２ステップをコンピュータに実行させるためのプログラムであることを特徴とする。
【００２３】
請求項９に記載の発明は、パイロット信号を含む音声多重コンポジット信号を復調する音声多重信号復調装置に用いられる信号レベル補正プログラムであって、音声多重コンポジット信号に基づいて、パイロット信号レベルを算出する第１ステップ、音声多重コンポジット信号に基づいて、（Ｒ−Ｌ）信号を復調する第２ステップ、第２ステップによって得られた（Ｒ−Ｌ）信号の基準レベルが一定となるように、第１ステップによって算出されたパイロット信号レベルに基づいて、第２ステップによって得られた（Ｒ−Ｌ）信号の信号レベルを補正する第３ステップ、および第３ステップによって得られた信号に対してノイズ低減処理を行なう第４ステップをコンピュータに実行させるためのプログラムであることを特徴とする。
【発明の効果】
【００２４】
この発明によれば、復調された信号の基準レベルを自動的に一定に保つことができるようになる。
【発明を実施するための最良の形態】
【００２５】
以下、図面を参照して、この発明の実施例について説明する。
【実施例１】
【００２６】
図１は、米国におけるテレビジョン音声多重放送のＦＭ復調後の音声多重コンポジット信号の周波数スペクトラムを示している。
【００２７】
図１に示すように、米国におけるテレビジョン音声多重放送では、モノラル信号（（Ｌ＋Ｒ）信号）に対応する第１の音声信号Ｓ１に加えて、ＤＳＢ−ＳＣ変調されたステレオ差信号（（Ｌ−Ｒ）信号）に対応する第２の多重音声信号Ｓ２およびＦＭ変調されたＳＡＰ（副音声）信号に対応する第３の多重音声信号Ｓ３が多重されている。また、（Ｌ−Ｒ）信号およびＳＡＰ（副音声）信号に対して、ｄｂｘ−ＴＶノイズリダクションエンコードが行なわれている。
【００２８】
第１の音声信号Ｓ１は、テレビジョン信号の水平走査周波数であるｆＨよりも低域側に配置されており、周波数ｆＨの位置には第２の多重音声信号Ｓ２の有無を識別するためのパイロット信号ＳPLが配置されている。第２の多重音声信号Ｓ２は、周波数２ｆＨの搬送波信号を（Ｌ−Ｒ）信号でＡＭ変調したものである。第３の多重音声信号Ｓ３は、周波数５ｆＨの搬送波信号をＳＡＰ信号でＦＭ変調したものである。
【００２９】
図２は、テレビジョン音声多重信号を復調するための復調装置を示している。
【００３０】
この復調装置は、デジタル回路によって構成されており、例えば、ＤＳＩ（デジタルシグナルプロセッサ）によって構成されている。
【００３１】
入力端子１には、テレビジョン映像信号から分離されかつＦＭ復調された、図１に示すような周波数スペクトラムを有する音声多重コンポジット信号が供給されている。この入力信号は、ＳＡＰ（副音声）を復調するためのＳＡＰ復調回路２に送られるとともに、３ｆＨ以上の周波数の信号をカットするためのＬＰＦ３に送られる。
【００３２】
ＳＡＰ復調回路２では、ＳＡＰ（副音声）信号が復調される。ＳＡＰ復調回路２によって得られたＳＡＰ信号は、切換スイッチ１８の第１入力端子（ｉｎ１）に送られる。
【００３３】
ＬＰＦ３では、音声多重信号から３ｆＨ以上の周波数の信号がカットされる。ＬＰＦ３を通過した信号は、切換スイッチ４に送られる。この切換スイッチ４は、第１音声モードが選択されている場合には、入力信号を第１出力端子（ｏｕｔ１）に出力し、第２音声モードが選択されている場合には、入力信号を第２出力端子（ｏｕｔ２）に出力する。したがって、第１音声モードが選択されている場合には、ＬＰＦ３を通過した信号は、切換スイッチ４を介して、ＰＬＬ処理部５、乗算器７および加算器１０に送られる。
【００３４】
ＰＬＬ処理部５は、乗算器３１、ＬＰＦ３２、直交信号生成処理部３３および正弦波テーブル３４を備えている。正弦波テーブル３４は基準信号発生器として使用される。正弦波テーブル３４としては、Dolby Digital デコーダやMPEG2-AAC デコーダのIMDCT に使用する正弦波テーブルが共用されている。ＰＬＬ処理部５の動作について説明する。
【００３５】
ＬＰＦ３を通過した信号ａは、次式（１）で表すことができる。
【００３６】
ａ＝g1・m0(t) ＋g2・cos(ωfH・t)＋g3・m1(t) ・cos(ω2fH ・t)    …（１）
【００３７】
g1・m0(t) ：Ｌ＋Ｒ信号
g2・cos(ωfH・t)：パイロット信号
g3・m1(t) ・cos(ω2fH ・t)：Ｌ−Ｒ変調信号
【００３８】
この信号ａに、正弦波テーブル３４に基づいて直交信号生成処理部３２よって生成された初期直交信号sin ｛( ωfH＋Δω) ・t ＋α｝を乗算器３１によって乗じると、次式（２）で示される信号ｂが得られる。
【００３９】
ｂ＝ａ・sin ｛( ωfH＋Δω) ・t ＋α｝
＝｛g1・m0(t) ＋g2・cos(ωfH・t)＋g3・m1(t) ・cos(ω2fH ・t)｝・sin ｛( ωfH    ＋Δω) ・t ＋α｝
＝g1・m0(t) ・sin ｛( ωfH＋Δω) ・t ＋α｝
＋ 0.5・g2・[sin｛(2ωfH＋Δω) ・t ＋α｝＋sin ( Δω・t ＋α)]
＋g3・m1(t) ・[  sin｛( ω2fH ＋ωfH＋Δω) ・ t＋α｝＋sin ｛( ωfH＋Δω−    ω2fH ) ・ t＋α｝]               …（２）
【００４０】
この信号ｂからＬＰＦ３２によって不要な信号をカットすると、上記式（２）の第２項中のsin ( Δω・t ＋α) の成分のみが得られる。Δω、αは生成した直交信号とパイロット信号の周波数誤差と位相誤差である。生成信号の周波数と位相を補正し、ＬＰＦ３２の出力sin ( Δω・t ＋α) が零になれば、パイロット信号と同期した直交信号sin ( ωfH・t)を生成したことになる。
【００４１】
生成信号の周波数と位相の補正方法は、基本的には、sin ( Δω・t ＋α) が正の場合には生成信号の周波数と位相を大きくし、sin ( Δω・t ＋α) が負の場合には生成信号の周波数と位相を小さくする。その結果、補正が正しく動作している間はΔωが小さくなるため、正しく補正される区間自体が長くなり、逆に補正が逆である区間は短くなる。その動作を繰り返せば、sin ( Δω・t ＋α) が零に収束する。
【００４２】
ＰＬＬ処理部５で得られる、パイロット信号と同期した直交信号sin ( ωfH・t)は、パイロット同期信号生成部６に送られるとともに、搬送波生成部１４に送られる。パイロット同期信号生成部６では、直交信号sin ( ωfH・t)に基づいてパイロット同期信号cos(ωfH・t)が生成される。搬送波生成部１４では、直交信号sin ( ωfH・t)に基づいて、搬送波信号cos(ω2fH ・t)が生成される。搬送波cos(ω2fH ・t)は、ω2fH ＝２ωfHの関係から、cos(ω2fH ・t)＝１−２・sin 2(ωfH・t)に基づいて算出される。
【００４３】
パイロット同期信号生成部６によって生成されたパイロット同期信号cos(ωfH・t)は、ＬＰＦ３を通過した信号ａに乗算された後、ＬＰＦ８で高域スペクトラム成分がカットされることにより、パイロット信号のゲインがバイアス成分として抽出される。
【００４４】
つまり、パイロット同期信号cos(ωfH・t)を信号ａに乗算すると、次式（３）で示される信号ｃが得られる。
【００４５】
ｃ＝ａ・cos(ωfH・t)
＝｛g1・m0(t) ＋g2・cos(ωfH・t)＋g3・m1(t) ・cos(ω2fH ・t)｝・cos(ωfH・t)    ＝g1・m0(t) ・cos(ωfH・t)
＋ 0.5・g2・｛cos( 2ωfH・t)＋1.0 ｝
＋g3・m1(t) ・[  cos｛( ω2fH ＋ωfH) ・ t｝＋cos ｛( ω2fH −ωfH) ・t ] 
…（３）
【００４６】
ＬＰＦ８の出力には、上記式（３）中の第２項の 0.5・g2がバイアス成分として残る。このため、パイロット信号のゲインg2を正確に算出することができる。なお、ＬＰＦ８としては、６次の急峻な５０ＨｚＩＩＲローパスフィルタを用いた。
【００４７】
算出したパイロット信号のゲインg2は、乗算器９により、パイロット同期信号cos(ωfH・t)に乗算される。これにより、音声多重信号に多重されているパイロット信号と同じ信号g2・cos(ωfH・t)が生成される。この信号は、加算器１０に送られる。加算器１０では、ＬＰＦ３の出力信号から信号g2・cos(ωfH・t)が減算される。つまり、ＬＰＦ３の出力信号からパイロット信号が除去される。
【００４８】
パイロット信号が除去された信号は、ＬＰＦ１１に送られる。ＬＰＦ１１では、パイロット信号が除去された信号からｆＨ以上の信号がカットされる。これにより、Ｌ＋Ｒ信号が得られる。得られたＬ＋Ｒ信号は、ゲイン補正部１２を介してデエンファシス(de-emphasis) 処理部１３に送られる。デエンファシス処理部１３では、ノイズ低減処理が行なわれる。デエンファシス処理部１３によってノイズ低減処理が行なわれた信号（（Ｌ＋Ｒ）信号）は、マトリクス処理部２２に送られる。
【００４９】
パイロット信号が除去された信号は乗算器１５にも送られ、搬送波生成部１４によって生成された搬送波信号cos(ω2fH ・t)が、パイロット信号が除去された信号に乗算される。そして、乗算器１５によって得られた信号はＬＰＦ１６に送られ、ｆＨ以上の信号がカットされる。これにより、Ｌ−Ｒ信号が得られる。
【００５０】
パイロット信号が除去された信号中のＬ−Ｒ変調信号｛g3・m1(t) ・cos(ω2fH ・t)｝に搬送波信号cos(ω2fH ・t)を乗算すると、次式（４）で示される信号ｄが得られる。
【００５１】
ｄ＝｛g3・m1(t) ・cos(ω2fH ・t)｝・cos(ω2fH ・t)
＝g3・m1(t) ・( 1 ＋cos(2 ω2fH ・t)｝/2
＝g3・m1(t)/2 ＋g3・m1(t) ・cos(2 ω2fH ・t)/2    …（４）                        
【００５２】
ＬＰＦ１６では、上記式（４）の第２項の2 ω2fH のスペクトル成分がカットされることにより、g3・m1(t)/2 信号、つまり、Ｌ−Ｒ信号が得られる。得られたＬ−Ｒ信号は、ゲイン補正部１７を介して切換スイッチ１８の第２入力端子（ｉｎ２）に送られる。この切換スイッチ１８は、第１音声モードが選択されている場合には、第２入力端子（ｉｎ２）に入力されている信号（（Ｌ−Ｒ）信号）を出力し、第２音声モードが選択されている場合には、第１入力端子（ｉｎ１）に入力されている信号（ＳＡＰ信号）を出力する。したがって、第１音声モードが選択されている場合には、ゲイン補正部１７から出力されている信号（（Ｌ−Ｒ）信号）が、切換スイッチ１８を介して、ｄｂｘ（登録商標）処理部１９に送られる。ｄｂｘ（登録商標）処理部１９では、ノイズ低減処理が行なわれる。ｄｂｘ（登録商標）処理部１９によってノイズ低減処理が行なわれた信号（（Ｌ−Ｒ）信号）は、マトリクス処理部２２に送られる。
【００５３】
マトリクス処理部２２では、次式（５）に基づいて、ステレオ信号Ｌｃｈ、Ｒｃｈを生成する。
【００５４】
Ｌｃｈ＝（Ｌ＋Ｒ）＋（Ｌ−Ｒ）＝２Ｌ
Ｒｃｈ＝（Ｌ＋Ｒ）−（Ｌ−Ｒ）＝２Ｒ        …（５）
【００５５】
ゲイン補正部１２、１７の動作について説明する。ゲイン補正部１２、１７には、ＬＰＦ８によって得られたパイロット信号レベルｇ2 が送られる。ゲイン補正部１２、１７では、パイロット信号レベルｇ2 と予め想定したパイロット信号の基準レベルＧ2 とに基づいて、入力信号にＧ2 ／ｇ2 を乗じる。これにより、ｄｂｘ（登録商標）処理部１９、デエンファシス処理部１３の入力信号の基準レベルを一定に保つことができる。
【００５６】
ゲイン補正部１２によって補正された信号（Ｒ＋Ｌ）に対してデエンファシス処理が行なわれる。また、ゲイン補正部１７によって補正された信号（Ｒ−Ｌ）に対してｄｂｘ（登録商標）デコードが行なわれる。このため、従来のように出荷時に入力信号の基準レベルを一定にするための回路調整を手動で行なうことなく、ｄｂｘ（登録商標）デコードが正確に行なわれるようになる。また、温度変化による入力信号の基準レベルの変動の影響も排除できる。
【００５７】
次に、第２音声モードが選択されている場合の動作について説明する。第２音声モードが選択されている場合には、切換スイッチ４は、入力信号を第２出力端子（ｏｕｔ２）に出力する。したがって、第２音声モードが選択されている場合には、ＬＰＦ３を通過した信号は、切換スイッチ４を介して、ＬＰＦ２０に送られる。ＬＰＦ２０は、急峻な特性を持ち、ＬＰＦ３の出力信号からパイロット信号を含むｆＨ以上の周波数の信号をカットすることにより、（Ｌ＋Ｒ）信号を抽出する。                                              
【００５８】
ＬＰＦ２０を通過した信号（（Ｌ＋Ｒ）信号）は、ゲイン補正部２１に送られ、予め設定された固定のゲインが乗算される。ゲイン補正部２１によって補正された信号（Ｒ＋Ｌ）は、デエンファシス処理部１３を介してマトリクス処理部２２に送られる。
【００５９】
第２音声モードが選択されている場合には、切換スイッチ１８は、第１入力端子（ｉｎ１）に入力されている信号（ＳＡＰ信号）を出力する。したがって、第２音声モードが選択されている場合には、ＳＡＰ（副音声）復調処理部２によって得られたＳＡＰ信号が、切換スイッチ１８を介して、ｄｂｘ（登録商標）処理部１９に送られる。ｄｂｘ（登録商標）処理部１９では、ノイズ低減処理が行なわれる。ｄｂｘ（登録商標）処理部１９によってノイズ低減処理が行なわれた信号（ＳＡＰ信号）は、マトリクス処理部２２に送られる。
【００６０】
マトリクス処理部２２では、入力されたＳＡＰ信号および（Ｒ＋Ｌ）信号の一方を信号Ｌｃｈとして出力し、他方を信号Ｒｃｈとして出力する。
【００６１】
第２音声モードが選択されている場合には、ＳＡＰ（副音声）復調処理部２が動作せしめられるが、第１音声モードが選択されているときに動作されるステレオ復調処理部の大半（符号５〜１２で示す処理部、符号１４〜１７で示す処理部）を動作させなくて済むので、処理量の増加を抑えることができる。
【００６２】
上記実施例では、ステレオ復調後の信号（Ｌ＋Ｒ信号、Ｌ−Ｒ信号）に対して、ゲイン補正部１２、１７により信号レベルの補正が行なわれているが、ステレオ復調前の信号に対して信号レベルの補正を行なうようにしてもよい。例えば、ＬＰＦ３の出力信号の信号レベルを、ＬＰＦ８から出力される信号（パイロット信号レベル）に基づいて補正するようにしてもよい。
【図面の簡単な説明】
【００６３】
【図１】米国におけるテレビジョン音声多重放送のＦＭ復調後の音声多重コンポジット信号の周波数スペクトラムを示すグラフである。
【図２】テレビジョン音声多重信号の復調装置を示す機能ブロック図である。
【図３】テレビジョン音声多重信号の従来の復調装置の構成を示すブロック図である。
【符号の説明】
【００６４】
３、８、１１、１６、２０、３２  ＬＰＦ
７、９、３１  乗算器
５  ＰＬＬ処理部
６  パイロット同期信号生成部
１０  加算器
１２、１７  ゲイン補正部
１３  デエンファシス処理部
１９  ｄｂｘ処理部
２２  マトリクス処理部
３４  ｓｉｎテーブル
【図１】
2007150704.tif 000003
【図２】
2007150704.tif 000004
【図３】
2007150704.tif 000005